(57)【要約】取り外し可能にインターロックされるリンクを有する装身具。【選択図】図２３
2011501978.tif 000002
【特許請求の範囲】
【請求項１】
装身具片を具えたフレームと；
前記フレームの一方の側から延びる少なくとも２つの脚部と；
を具えた装身具であって、
前記脚部が、別のリンクの係止ヘッドを受容するための受容部を規定しており、
前記受容部が、前記フレームに隣接する第１の溝部と、前記第１の溝部に隣接し前記第１の溝部の長手軸に略平行な長手軸を有する第２の溝部とを有し、
前記第１の溝部が、開口端と、前記係止ヘッドの移動を規制するための前記開口端の反対側の端部の規制部と、前記開口端に第１の距離だけ間隔を空けて対向する間隔を空けた２つの側壁とを有し、
前記第２の溝部が、第１の開口端と、前記第１の距離よりも短い第２の距離だけ間隔を空けて対向する間隔を空けた２つの側壁とを有することを特徴とする装身具。
【請求項２】
さらに、前記第２の距離よりも幅が広く前記第１の距離よりも幅が狭い係止ヘッドを具えることを特徴とする請求項１に記載の装身具。
【請求項３】
さらに、前記フレームに前記係止ヘッドを結合する延長アームを具えており、
前記延長アームの幅が、前記第２の距離よりも広くないことを特徴とする請求項２に記載の装身具。
【請求項４】
前記第２の溝部が、前記第２の溝部の前記第１の開口端とは反対側の第２の開口端を有していることを特徴とする請求項１に記載の装身具。
【請求項５】
前記溝部の前記長手軸に対して垂直な前記受容部の断面形状が、略Ｔ字形であることを特徴とする請求項１に記載の装身具。
【請求項６】
さらに、宝石を受容するための台枠を具えることを特徴とする請求項１に記載の装身具。
【請求項７】
前記台枠が、前記フレームの一方の側とは反対側の他方の側から延びる複数の突起部を具えることを特徴とする請求項６に記載の装身具。
【請求項８】
前記台枠が、前記フレームの一方の側とは反対側の他方の側から延びる略カップ形のクレードルを具えることを特徴とする請求項６に記載の装身具。
【請求項９】
前記装身具がペンダントであることを特徴とする請求項１に記載の装身具。
【請求項１０】
前記装身具が、貴金属を具えることを特徴とする請求項１に記載の装身具。
【請求項１１】
さらに、チェーンを受容するための開口部を具えることを特徴とする請求項１に記載の装身具。
【請求項１２】
前記装身具が、第１のリンク、さらには、前記第１の溝部に受容され前記規制部によって移動が規制される係止ヘッドを有する第２のリンクを具えており、
前記第１のリンク及び前記第２のリンクが、互いに取り外し可能に連結されることを特徴とする請求項１に記載の装身具。
【請求項１３】
前記第１のリンクが、チェーンを受容するための開口部を有するベールリンク（ｂａｉｌ  ｌｉｎｋ）であることを特徴とする請求項１２に記載の装身具。
【請求項１４】
前記第２のリンクが、装身具片を具えたフレームと、前記フレームの一方の側から延びる少なくとも２つの脚部とを有しており、
前記脚部が、別のリンクの係止ヘッドを受容するための受容部を規定しており、
前記受容部が、前記フレームに隣接する第１の溝部と、前記第１の溝部に隣接し前記第１の溝部の長手軸に略平行な長手軸を有する第２の溝部とを有し、
前記第１の溝部が、開口端と、前記開口端の反対側の端部の規制部と、前記開口端に第１の距離だけ間隔を空けて対向する間隔を空けた２つの側壁とを有し、
前記第２の溝部が、開口端と、前記第１の距離よりも短い第２の距離だけ間隔を空けて対向する間隔を空けた２つの側壁とを有することを特徴とする請求項１２に記載の装身具。
【請求項１５】
前記第１のリンクが、ベールリンクに連結される係止ヘッドを有することを特徴とする請求項１２に記載の装身具。
【請求項１６】
装身具片を具えたフレームと、前記フレームの一方の側から延びる少なくとも２つの脚部とを有する第１のリンクであって、前記脚部が、別のリンクの係止ヘッドを受容するための受容部を規定し、前記受容部が、前記フレームに隣接する第１の溝部と、前記第１の溝部に隣接し前記第１の溝部の長手軸に略平行な長手軸を有する第２の溝部とを有し、前記第１の溝部が、開口端と、前記開口端の反対側の部分的に閉じた端部と、前記開口端に第１の距離だけ間隔を空けて対向する間隔を空けた２つの側壁とを有し、前記部分的に閉じた端部における第２の距離は前記第１の距離よりも短く、前記第２の溝部が、開口端と、前記第１の距離よりも短い第３の距離だけ間隔を空けて対向する間隔を空けた２つの側壁とを有する第１のリンクと；
係止ヘッドと、装身具片を具えたフレームと、前記フレームの一方の側から延びる少なくとも２つの脚部とを有する第２のリンクであって、前記脚部が、別のリンクの係止ヘッドを受容するための受容部を規定しており、前記受容部が、前記フレームに隣接する第１の溝部と、前記第１の溝部に隣接し前記第１の溝部の長手軸に略平行な長手軸を有する第２の溝部とを有し、前記第１の溝部が、開口端と、前記開口端の反対側の部分的に閉じた端部と、前記開口端に第１の距離だけ間隔を空けて対向する間隔を空けた２つの側壁と、前記部分的に閉じた端部における前記第１の距離よりも短い第２の距離とを有し、前記第２の溝部が、開口端と、前記第１の距離よりも短い第３の距離だけ間隔を空けて対向する間隔を空けた２つの側壁とを有し、前記第２のリンクの前記係止ヘッドが、前記第１のリンクの前記第１の溝部の前記開口端に受容され、前記第１のリンクの前記部分的に閉じた端部の前記側壁に隣接する第２のリンクと；
前記第２のリンクの前記第１の溝部の前記開口端に受容される係止ヘッドを有し、前記第２のリンクの前記部分的に閉じた端部の前記側壁に隣接する第３のリンクと；
を具えることを特徴とする装身具。
【請求項１７】
装身具片を具えたフレームを有するリンクと；
前記フレームの一方の側から延びる少なくとも３つの脚部と；
を具えており、
前記脚部が、別のリンクの係止ヘッドを受容するための受容部を規定し、前記受容部が上部及び下部を有し、前記上部が前記下部よりも広い幅を有し、前記下部が互いに直交する２つの等間隔の溝部を含んでいることを特徴とする装身具。
【請求項１８】
さらに、前記リンクの前記受容部に受容され得る第２のリンクを具え、
前記第２のリンクが、装身具片を具えたフレームと；
前記フレームの一方の側から延びる少なくとも２つの脚部であって、前記脚部が、別のリンクの係止ヘッドを受容するための受容部を規定しており、前記受容部が、前記フレームに隣接する第１の溝部と、前記第１の溝部に隣接し前記第１の溝部の長手軸に略平行な長手軸を有する第２の溝部とを有し、前記第１の溝部が、開口端と、前記係止ヘッドの移動を規制するための前記開口端の反対側の端部の規制部と、前記開口端に第１の距離だけ間隔を空けて対向する間隔を空けた２つの側壁とを有し、前記第２の溝部が、第１の開口端と、前記第１の距離よりも短い第２の距離だけ間隔を空けて対向する間隔を空けた２つの側壁とを有する脚部と；
前記フレームに係止ヘッドを連結する延長アームであって、前記第２の距離よりも幅が狭い延長アームと；
を具えることを特徴とする請求項１７に記載の装身具。
【請求項１９】
前記装身具が、耳たぶのピアス穴の中に挿入するためのポストを有するポストリンクであることを特徴とする請求項１７に記載の装身具。
【請求項２０】
さらに、前記リンクの前記受容部に受容され得る第２のリンクと、
前記第２のリンクの受容部に受容され得る第３のリンクと、
を具えることを特徴とする請求項１９に記載の装身具。
【発明の詳細な説明】
【技術分野】
【０００１】
本発明は、連結可能なリンクに関し、特に、宝石を受容し得る切り離し可能な連結リンクに関する。
【背景技術】
【０００２】
ペンダント又はブレスレットといった装身具は、多くの場合、互いに常時連結されて複数のリンクを形成する個々のリンクを具えている。例えば、あるデザインでは、リンクが、リンクに設けられた挿入穴で２つのリンクの対向サイドを通して輪になっているリングに互いに取り付けられ、リングがはんだ付けされてリンクが分かれるのを防いでいる。別のデザインでは、ステープルと同じような連結部材が採用されており、連結部材が、リンクに設けられた挿入穴で２つのリンクの対向サイドを通して輪になっており、連結部材を自身に向けて曲げることでリンクが分かれるのを防いでいる。
【発明の概要】
【０００３】
本発明は、互いに取り外し可能に結合されたリンク及びベール／ポストリンクを具えた装身具を提供し、従来採用されたタイプの宝飾用リンクを改善する。本発明は、個々に又は互いに内部結合したときにペンダント、ブレスレット等を形成し、ベールリンクをリンクの１つに結合したときにチェーンからぶら下がり、ポストリンクをリンクの１つに結合したときにイヤリングとして使用され、たくさんのリンクを互いに結合したときにブレスレットとして使用される、内部結合したリンクの物品に関する。任意の数のリンクを、器具又は接着装置を必要とせずに、使用者によって容易且つ素早く互いに取り付け得る。
【０００４】
各リンクは、台枠及び結合部材を具えている。台枠は、宝石を取り付けるための宝石取り付け部／カップ状のクレードルを規定するフレームと、フレームの一方の側から延びる２つの脚部とを具えている。所定の位置に宝石を保持するための複数の突起部が、フレームから上方に延びている。脚部は、上部、下部、正面部、及び背面部を有している。２つの脚部は、別のリンクの結合部材を受容するための受容部を形成する。
【０００５】
結合部材は、延長アーム及び延在アームの端部の係止ヘッドを具えており、フレームの上部から外側に延びている。係止ヘッドの幅は延長アームよりも大きく、係止ヘッドを別のリンクの受容部の中に挿入した際に安全な結合を可能にする係止部を有している。脚部の背面における脚部の上部（フレームの下部に隣接する部分）は、同じ側の脚部の下端よりも幅が狭く、脚部の背面に形成された受容部の部分の幅が、（肩部を形成する）上部において下部よりも大きい。脚部の背面で受容部の上部の幅が広いことで、別のリンクの結合部材の係止ヘッドの挿入が可能となる。脚部の正面部に形成された受容部の正面部分は、好適な実施例では、脚部の背面部の下部に形成された受容部の下端とほぼ同じ幅である。延長アームの幅は、別のリンクの受容部の最も細い部分における受容部の幅よりも小さく、延長アームが別のリンクの受容部の中に嵌合する。しかしながら、延長アームの幅は十分広く、別のリンクの受容部にあるときに延長アームの左右の移動を阻止する。さらに、リンクの脚部の高さは、リンクの受容部の中に挿入された別のリンクの延長アームの左右の移動を阻止するようになっている。
【０００６】
ベールリンクは、上部を具えており、宝石取り付け部／カップ状のクレードルを規定するフレームを有しても有さなくてもよく、上部から延びる２つの脚部を有している。宝飾品／宝石を保持するための複数の突起部がフレームから上方に延びている。２つの脚部が、リンクのうちの１つの結合部材を受容するための受容部を形成する。脚部の背面における脚部の上部（ベールリンクの上部に隣接する部分）は、同じ側の脚部の下端よりも幅が狭く、脚部の背面に形成された受容部の部分の幅が、（肩部を形成する）上部において下部よりも大きい。脚部の背面で受容部の上部の幅が広いことで、リンクの結合部材の係止ヘッドの挿入が可能となる。脚部の正面部に形成された受容部の正面部分は、好適な実施例では、脚部の背面部の下部に形成された受容部の下端とほぼ同じ幅である。さらに、ベールリンクの上部の下側は、ベールリンクの受容部を通してリンクの結合部材を案内するための凹部を有している。
【０００７】
ベールリンクは、それぞれの２つの脚部の側にチェーンを受容するための切り欠き部を有している。切り欠き部の上部の幅は、切り欠き部の残りの部分の幅よりも大きく、ベールリンクの双方の脚部を通してチェーンをベールリンクの外に延ばすことが可能である。
【０００８】
ポストリンクは、宝石取り付け部／カップ状のクレードルを規定するフレームを有する上部と、上部から延びる３つの脚部、すなわち第１の脚部、第２の脚部、及び第３の脚部である下部とを有している。宝飾品／宝石を保持するための複数の突起部が、フレームから上方に延びている。３つの脚部は、リンクの結合部材を受容するための受容部を形成する。各脚部は、ポストリンクの上部から延びる脚部の部分に対して相対的に垂直な足部を有している。第１の脚部が、ポストリンクの上部の正面部から延びており、その足部から延びるポストを有している。第２及び第３の脚部は、互いに平行に延びており、ポストリンクの上部の背面から延びている。第２の脚部と第３の脚部との間に空間が存在する。
【０００９】
第１の脚部の幅は、第２の脚部及び第３の脚部を組み合わせた幅よりも大きく、スペースを有している。第１の脚部の足部及び第２及び第３の脚部の足部は互いに面しているが、ポストリンクの下側で互いに接触せず、受容部の上部にリンクの結合部材を受容するための開口部を形成する。第２及び第３の脚部間に形成されたスペースは受容部の下部であり、互いに垂直に延びる等間隔の２つの溝部を有する。受容部の上部及び下部の間の差は、比較的Ｔ字形の空間を形成する。さらに、第１、第２及び第３の脚部の足部の端部間に肩部が形成されている。第１の脚部の足部は、受容部に向けて内側に足部から相対的に垂直に延びるさらなる足部を有している。このさらなる足部は、受容部の下部に向けて下方にリンクの結合部材を案内するよう補助する。
【００１０】
ポストリンクの受容部の上部の幅は、ポストリンクの受容部の下部の幅よりも大きい。受容部の上部の幅が大きいことで、リンクの結合部材の係止ヘッドの挿入が可能となる。受容部の下部の幅が小さいことで、ポストリンクの受容部の上部から下部に回転する際に、リンクの結合部材がポストリンクから滑り出るのを防止する。
【００１１】
リンクは、第２のリンクの受容部の（第２のリンクの脚部の背面の上側によって形成される）肩部の中に第１のリンクの結合部材の係止ヘッドを挿入することによって、互いに取り付けられる。そして、第２のリンクの脚部の背面側から第２のリンクの脚部の正面側に第１のリンクを回転させる。（全てのリンクと同様に）第２のリンクの受容部の正面部分の幅が、（全てのリンクと同様に）第１のリンクの結合部材の係止ヘッドよりも狭いため、第１のリンクが第２のリンクに固定され、第１のリンクを第２のリンクから離す唯一の方法は、上述の手順の逆を行うことである。第２のリンクから第１のリンクを離すために、第１のリンクを、第１のリンクの係止ヘッドが第２のリンクの受容部の肩部にくるまで、第２のリンクの脚部の正面側から第２のリンクの脚部の背面側に回転させる必要がある。第１のリンクの結合部材の係止ヘッドが第２のリンクの受容部の肩部と並ぶと、第１のリンクの結合部材が第２のリンクの受容部の肩部から滑り出る。
【００１２】
ベールリンクの脚部の背面側に形成された受容部の肩部の中にリンクの結合部材の係止ヘッドを挿入することによって、任意の数のリンクを互いに加え、又は同じ方法で互いに外すことが可能であり、１群のリンクのうちのいくつかのリンクを加え、又は同じ方法でベールリンクから外すことが可能であり、係止ヘッド４６がベールリンクの凹部に確実に接触し、その後、上述の手順にしたがって回転させ、１群のリンクからリンク又はベールリンクを外すためにこの手順の逆を行う。
【００１３】
さらに、ポストリンクの受容部の肩部の中にリンクの結合部材の係止ヘッドを挿入することによって、任意の数のリンクを互いに加え、又は同じ方法で互いに外すことができ、１群のリンクのうちの１つのリンクをポストリンクに加え、又はポストリンクから外すことができる。このような配列により、ポストリンクのポストを、取り付けたリンクの受容部の中で平らな状態にし得る。リンクの結合部材の係止ヘッドがポストリンクの受容部の肩部の中に挿入されると、リンクが直角に下方に回転し、その場所で、ポストリンクの上部及び取り付けたリンクの上部が同じ方向に面する。このような手順の逆を行うことによって、取り付けたリンクをポストリンクから外すことができる。
【００１４】
１群のリンクでは、１度にただ１つのリンクを加え、又は外し得る。例えば、１群の３つのリンクであるｇｌ１、ｇｌ２、及びｇｌ３では、ｇｌ１がｇｌ２に結合され、ｇｌ２がｇｌ３に結合される。ｇｌ２の受容部の肩部への接触に対してｇｌ１の脚部が結合部材ｇｌ３の係止ヘッドの規制部として機能するため、ｇｌ２をｇｌ１から外すまでｇｌ３をｇｌ２から外すことができない。結合部材ｇｌ３の係止ヘッドがｇｌ２の受容部の肩部と接触しない場合、ｇｌ３をｇｌ２から外すことができない。ベール／ポストリンクを１群のリンクに取り付けた場合に、同じようなコンセプトを適用し、すなわち、１群のリンクのうちの残りのリンクを互いに外すことができるまで、ベール／ポストリンクを取り付けたリンクから外さなければならない。
【００１５】
リンク／１群のリンクに取り付けられたベールリンクにチェーンを通す場合、又は、リンク／１群のリンクに取り付けられたポストリンクを耳たぶに通す／留める場合、チェーン／耳たぶがベール／ポストリンクの受容部の肩部をブロックし、取り付けたリンクの結合部材の係止ヘッドが、ベール／ポストリンクの肩部から滑り出ることができず、リンクをベール／ポストリンクから外すことができない。ベール／ポストリンクに取り付けられたリンクをベール／ポストリンクから外すことができないため、１群のリンクのうちの残りのリンクを互いに外すことができない。そのようにして、チェーン／耳たぶは、ベール／ポストリンクに、及び互いにリンク／１群のリンクをロックするよう機能する。チェーンをベールリンクに挿入しない場合、又はポストリンクを耳たぶに通さない／取り付けない場合、ベール／ポストリンクに取り付けられたリンク／１群のリンクを、同時に外し得る。
【００１６】
１つのリンクをベール／ポストリンクに取り付けることができ、又は任意の数のリンクを互いに、そしてベール／ポストリンクに取り付けることができ、個人の好みに応じて長かったり短かったりするペンダントを形成する。さらに、任意の数のリンクを合わせてブレスレットを形成し得る。さらに、リンクをいつでも加えたり外したりし得る。
【００１７】
リンク、ベールリンク、又はポストリンクは、宝飾品取り付け部を収容するフレームを有している。宝飾品取り付け部は、様々な実施例では、様々な種類の宝石又は宝飾品、本物または偽物、高価な物すなわちダイヤモンド、ルビー、アメジスト等、又は任意の形状及び大きさのやや高価な物を保持することができる。また、フレームは、任意の形状、すなわち円形、四角形、ハート形等でよい。さらに、リンク、及びベール／ポストリンクは、１又はそれ以上のタイプの金属又は合金、すなわち、金、プラチナ等で作製することができ、１つの色合い又は複数の色合いが可能である。
【００１８】
リンク、又はベール／ポストリンクのフレームは、所定の位置に宝石／宝飾品を保持するための複数の突起部を含んでおり、代替的な実施例では、宝石／宝飾品を接着取り付けし、又は他の方法によってフレーム又は宝飾品取り付け部に取り付けてもよい。
【００１９】
本物品は、任意の数のリンクを取り外し可能に相互接続し、ベールリンク、又はペンダントとしての使用にためにポストリンクに、１群の１又はそれ以上のリンクの取り付けが可能となる。取り付けられたベールリンクにチェーンを通す場合、又は、取り付けられたポストリンクを耳たぶに通す／留める場合、ベール／ポストリンクに取り付けた１群のリンクを互いに、又はベール／ポストリンクから外すことができないことで、リンクの喪失を防ぐ。
【００２０】
本発明の目的は、フレームと、フレームの一方の側から延びる少なくとも２つの脚部と、を具えた装身具を提供することであり、脚部が、別のリンクの係止ヘッドを受容するための受容部を規定しており、受容部が、フレームに隣接する第１の溝部と、第１の溝部に隣接し第１の溝部の長手軸に略平行な長手軸を有する第２の溝部とを有し、第１の溝部が、開口端と、係止ヘッドの移動を規制するための開口端の反対側の端部の規制部と、開口端に第１の距離だけ間隔を空けて対向する２つの側壁とを有し、第２の溝部が、第１の開口端と、第１の距離よりも短い第２の距離だけ間隔を空けて対向する２つの側壁とを有する。第２の溝部は、第２の溝部の第１の開口端とは反対側の第２の開口端を有している。
【００２１】
さらに、装身具は、第２の距離よりも幅が広く第１の距離よりも幅が狭い係止ヘッドを具え、第２のリンクの第１の溝部の開口端に受容されるよう構成される一方、部分的に閉じた端部及び第２のリンクの第２の溝部が、リンクの係止ヘッドを遮るよう十分に狭い。
【００２２】
また、装身具は、フレームに係止ヘッドを結合する延長アームを具えており、延長アームの幅が第１の距離及び第２の距離よりも広くない。
【００２３】
装身具は、溝部の長手軸に対して垂直な方向の受容部の断面形状が略Ｔ字形である。
【００２４】
さらに、装身具は、宝石を受容するための台枠を具える。台枠は、フレームの一方の側から延びる複数の突起部を含んでいる。台枠は、フレームの一方の側から延びる略カップ状のクレードルを具えている。
【００２５】
装身具は、チェーンからぶら下がるペンダントを形成し、又はイヤリング、又はブレスレットとして使用される。装身具は、チェーンを受容するための開口部、耳たぶのピアス穴の中に挿入するためのポスト、又は耳たぶに留めるためのクリップを有している。
【００２６】
本発明の別の目的は、フレームと、フレームの一方の側から延びる少なくとも２つの脚部とを具えた第１のリンクを具えており、脚部が、別のリンクの係止ヘッドを受容するための受容部を規定し、受容部が、フレームに隣接する第１の溝部と、第１の溝部に隣接し第１の溝部の長手軸に略平行な長手軸を有する第２の溝部とを有し、第１の溝部が、開口端と、開口端の反対側の部分的に閉じた端部と、開口端に第１の距離だけ間隔を空けて対向する２つの側壁とを有し、第２の溝部が、開口端と、第１の距離よりも短い第２の距離だけ間隔を空けて対向する２つの側壁とを有し、さらに、第１の溝部に受容され規制部によって移動が規制される係止ヘッドを有する第２のリンクを有する装身具を有しており、第１のリンク及び第２のリンクが互いに取り外し可能に連結される。
【００２７】
第１のリンクは、チェーンを受容するための開口部を有するベールリンク、又は耳たぶに挿入するためのポスト又は耳たぶに付けるためのクリップを有するポストリンクである。第２のリンクは、フレームと、フレームの一方の側から延びる少なくとも２つの脚部とを有しており、脚部が、別のリンクの係止ヘッドを受容するための受容部を規定しており、受容部が、フレームに隣接する第１の溝部と、第１の溝部に隣接し第１の溝部の長手軸に略平行な長手軸を有する第２の溝部とを有し、第１の溝部が、開口端と、開口端の反対側の端部の規制部と、開口端に第１の距離だけ間隔を空けて対向する間隔を空けた２つの側壁とを有し、第２の溝部が、開口端と、第１の距離よりも短い第２の距離だけ間隔を空けて対向する間隔を空けた２つの側壁とを有する。第１のリンクが、ベールリンク又はポストリンクに連結される係止ヘッドを有する。さらに、第２のリンクは、宝石を受容するための台枠を具えている。
【００２８】
本発明の別の目的は、フレームと、フレームの一方の側から延びる少なくとも２つの脚部とを有する第１のリンクであって、脚部が、別のリンクの係止ヘッドを受容するための受容部を規定し、受容部が、フレームに隣接する第１の溝部と、第１の溝部に隣接し第１の溝部の長手軸に略平行な長手軸を有する第２の溝部とを有し、第１の溝部が、開口端と、開口端の反対側の部分的に閉じた端部と、開口端に第１の距離だけ間隔を空けて対向する間隔を空けた２つの側壁と、部分的に閉じた端部の第１の距離よりも短い第２の距離とを有し、第２の溝部が、開口端と、第１の距離よりも短い第３の距離だけ間隔を空けて対向する間隔を空けた２つの側壁とを有する第１のリンクと；係止ヘッドと、フレームと、フレームの一方の側から延びる少なくとも２つの脚部とを有する第２のリンクであって、脚部が、別のリンクの係止ヘッドを受容するための受容部を規定しており、受容部が、フレームに隣接する第１の溝部と、第１の溝部に隣接し第１の溝部の長手軸に略平行な長手軸を有する第２の溝部とを有し、第１の溝部が、開口端と、開口端の反対側の部分的に閉じた端部と、開口端に第１の距離だけ間隔を空けて対向する間隔を空けた２つの側壁と、部分的に閉じた端部の第１の距離よりも短い第２の距離とを有し、第２の溝部が、開口端と、第１の距離よりも短い第３の距離だけ間隔を空けて対向する間隔を空けた２つの側壁とを有し、第２のリンクの係止ヘッドが、第１のリンクの第１の溝部の開口端に受容され、第１のリンクの部分的に閉じた端部の側壁に隣接する第２のリンクと；第２のリンクの第１の溝部の開口端に受容される係止ヘッドを有し、第２のリンクの部分的に閉じた端部の側壁に隣接する第３のリンクと；を具える装身具を提供することである。
【００２９】
本発明の別の目的は、装身具片を具えたフレームを有するリンクと；フレームの一方の側から延びる少なくとも３つの脚部と；を具えており、脚部が、別のリンクの係止ヘッドを受容するための受容部を規定し、受容部が上部及び下部を有し、上部が下部よりも広い幅を有し、下部が互いに垂直に延びる２つの等間隔の溝部を含んでいる装身具を有する。
【００３０】
装身具は、耳たぶのピアス穴に挿入するためのポストを有するポストリンクでよい。また、装身具は、さらに、リンクの受容部に受容され得る第２のリンクと、第２のリンクの受容部に受容され得る第３のリンクとを具えてもよい。
【００３１】
さらに、装身具は、リンクの受容部に受容され得る第２のリンクを具え、第２のリンクが、装身具片を具えたフレームと；フレームの一方の側から延びる少なくとも２つの脚部であって、脚部が、別のリンクの係止ヘッドを受容するための受容部を規定しており、受容部が、フレームに隣接する第１の溝部と、第１の溝部に隣接し第１の溝部の長手軸に略平行な長手軸を有する第２の溝部とを有し、第１の溝部が、開口端と、係止ヘッドの移動を規制するための開口端の反対側の端部の規制部と、開口端に第１の距離だけ間隔を空けて対向する間隔を空けた２つの側壁とを有し、第２の溝部が、第１の開口端と、第１の距離よりも短い第２の距離だけ間隔を空けて対向する間隔を空けた２つの側壁とを有する脚部と；フレームに係止ヘッドを連結する延長アームであって、第２の距離よりも幅が狭い延長アームと；を具える。
【００３２】
本発明のこれらの、及び他の様々な態様及びさらなる態様及び利点が、本発明の原理を具体例として示す添付図面とともに、以下の詳細な説明から明らかとなろう。
【図面の簡単な説明】
【００３３】
【図１Ａ】図１Ａは、本発明に係るリンクの第１の実施例の平面図を示す。
【図１Ｂ】図１Ｂは、図１に示すリンクの底面図を示す。
【図２】図２は、図１に示す実施例の背面図を示す。
【図３】図３は、図１に示す実施例の正面図を示す。
【図４Ａ】図４Ａは、矢印の方向から視た図１Ａのライン４Ａ−４Ａに沿った断面図を示す。
【図５】図５は、図１に示す実施例の底面斜視図を示す。
【図６】図６は、本発明に係るベールリンクの平面図を示す。
【図７】図７は、図６に示すベールリンクの底面図を示す。
【図８】図８は、図６に示すベールリンクの背面図を示す。
【図９】図９は、図６に示すベールリンクの正面図を示す。
【図９Ａ】図９Ａは、図８に示すベールリンクの図８のライン９Ａに沿った断面図を示す。
【図１０】図１０は、図６に示すベールリンクの側面図を示す。
【図１１】図１１は、図６に示すベールリンクの背面斜視図を示す。
【図１２】図１２は、図６に示すベールリンクの側面斜視図を示す。
【図１３】図１３は、互いに連結されさらにベールリンクに連結された１群のリンクの平面図を示す。
【図１４】図１４は、図１３に示す実施例の底面図を示す。
【図１５】図１５は、矢印の方向に視た図１３のライン１５−１５に沿って切断した断面図を示す。
【図１６】図１６Ａ−Ｃは、本発明に係る２つのリンクを連結するための手順を示す。
【図１７】図１７Ａ−Ｃは、本発明に係るベールリンクに１群のリンクを連結するための手順を示す。図１７Ｄ−Ｅは、ベールリンクを外すまで、ベールリンクに連結されたリンクをどのようにして互いに外せないようにするのかを示す。
【図１８】図１８は、ベールリンクを通して挿入されたチェーンを示す。
【図１９】図１９は、ベールリンクを通して挿入されたチェーンを示す。
【図２０】図２０は、本発明に係るリンクの第２の実施例の平面図を示す。
【図２１】図２１は、本発明に係るポストリンクの第１の実施例の側面図を示す。
【図２２】図２２は、図２１のポストリンクの背面斜視図を示す。
【図２３】図２３Ａ−Ｃは、本発明に係るポストリンクに１群のリンクを連結するための手順を示す。
【発明を実施するための形態】
【００３４】
本発明に係る装身具は、互いに取り外し可能に連結してペンダントを形成可能な個々のリンクを有している。
【００３５】
図１乃至５を参照すると、本発明の第１の実施例に係るリンク１０が、台枠２０及び連結部材４０を有している。リンク１０は、好適には、金、プラチナ等の貴金属で作製されることに留意されたい。台枠２０は、円形フレーム２２、フレーム２２に形成された宝石取り付け部／カップ状のクレードル２６、及び２つの脚部２８を具える。フレーム２２は、上面２３及び下面２４を具える。第１の実施例では、複数の突起部２５がフレーム２２の上面２３から上方に延びており、ダイヤモンドといった宝石を保護する。
【００３６】
脚部２８は、フレーム２２の下面２４から延びており、上面２８ａ、下面２８ｂ、正面３３、及び背面２９から構成され、受容部２７を規定するよう構成される。受容部２７は、肩部３０及び脚部２８の背面２９に形成される下端３１を有している。脚部２８の背面２９の上面２８ａは、脚部２８の背面２９の下面２８ｂよりも幅が狭い。脚部２８の背面２９の上面２８ａの幅が狭いことで、受容部２７の肩部３０が受容部２７の下端３１よりも幅が広くなる。脚部２８の正面３３の受容部２７の正面部３４は、好適な実施例では、脚部２８の背面２９の下部２８ｂの受容部２７の下端３１とほぼ同じ幅である。
【００３７】
本発明の好適な実施例は、そのように規定された受容部２７は、フレーム２２に隣接する第１の溝部１００及び第１の溝部１００の長手軸と略平行な長手軸を有する第１の溝部１００に隣接する第２の溝部１０５を有している。本発明の態様によれば、第１の溝部１００が、開口端１０１及び対向するよう間隔を空けた２つの側壁１０２を有している。好適な実施例によれば、第１の溝部１００の側壁間の間隔は、開口端１０１に対向する部分的に閉じた端部１０３を規定するよう狭く、第１の溝部１００の部分的に閉じた端部１０３の側壁１０２間の間隔は、開口端１０１の側壁間の間隔よりも狭い。また、第１の溝部１００に開口しそれに連通する第２の溝部１０５は、対向する側壁１０６及び２つの開口端１０７を有している。好適には、第２の溝部１０５の側壁間の距離は、第１の溝部１００の開口端１０１の側壁１０２間の間隔よりも小さい。第１の溝部１００及び第２の溝部１０５の側壁１０２間の間隔の差により、肩部又は突起部３０を実現することに留意されたい。さらに、第１の溝部１００の対向する側壁１０２間の間隔の狭さにより、台壁１１０を実現する。
【００３８】
好適な実施例では、第１の溝部１００及び第２の溝部１０５の長手軸に対して垂直な方向の受容部２７の断面形状は、図２に示すようにＴ字形である。しかしながら、本発明に係るリンク１０は、このような断面形状に必ずしも限定されないことが理解されよう。
【００３９】
リンク１０の連結部材４０は、フレーム２２の下面２４から延びており、延長アーム４４及び係止ヘッド４６を有している。係止ヘッド４６は、段差部４７を有しており、延長アーム４４よりも幅が大きくなっている。
【００４０】
図６乃至１２は、上部６２、及び下部６４を具える本発明のベールリンク６０の好適な実施例の様々な視野を示している。本実施例の上部６２は、宝石取り付け部／カップ状のクレードル６１ｄを受容するフレーム６１を示す。フレーム６１は、上面６１ａ及び下面６１ｂを有している。フレームの下面６１ｂは、凹部４８を有している。好適な実施例では、複数の突起部６１ｃはフレーム６１の上面６１ａから延びており、ダイヤモンドといった宝石を保護する。しかしながら、代替的な実施例では、突起部６１ｃが存在しなくてもよい。ベールリンク６０の下部６４は、リンク１０の脚部２８と同じような２つの脚部６６を具える。
【００４１】
フレーム６１の下面６１ｂから延びる各脚部６６は、上面６６ａ、下面６６ｂ、正面７４、背面６８、及び２つの側面７６を具えており、受容部６７を実現するよう構成される。脚部６６の背面６８の上面６６ａは、脚部６６の背面６８の下面６６ｂよりも幅が狭い。脚部６６の背面６８の上面６６ａの幅が薄いことで、肩部７０を実現する。好適な実施例では、脚部６６の正面７４に形成された受容部６７の正面部７５は、脚部６６の背面６８の下面６６ｂに形成された受容部６７の下端７２とほぼ同じ幅である。
【００４２】
脚部６６の２つの側面７６は、上部８０及び残りの部分８２を有する切り欠き部７８を含んでいる。切り欠き部７８の上部８０は、チェーンが切り欠き部７８の上部８０を通して嵌り所定の位置に留まるように、残りの部分８２よりも幅が大きい。
【００４３】
ベールリンク６０の好適な実施例では、そのように規定された受容部６７が、フレーム６１に隣接する第１の溝部４００及び第１の溝部４００と略平行な長手軸を有する第１の溝部４００に隣接する第２の溝部４０５を有している。本発明の態様によれば、第１の溝部４００が、開口端４０１及び間隔を空けた対向する２つの側壁４０２を有している。好適な実施例によれば、第１の溝部４００の側壁間の間隔は、開口端４０１に対向する部分的に閉じた端部４０３を規定するよう狭くなっており、第１の溝部４００の部分的に閉じた端部４０３の側壁４０２間の間隔は、開口端４０１の側壁４０２間の間隔よりも狭い。
【００４４】
また、第２の溝部４０５は、第１の溝部４００に開口且つ連通しており、対向する側壁４０６及び２つの開口端４０７を有している。好適には、第２の溝部４０５の側壁間の距離、すなわち、それらの間の間隔は、第１の溝部４００の開口端４０１での側壁４０２間の間隔よりも小さい。第１の溝部４００及び第２の溝部４０５の側壁４０２間の間隔の差により、肩部７０又は突起部を実現することに留意されたい。さらに、第１の溝部４００の対向する側壁４０２間の狭くなった間隔により、台壁４１０を実現する。
【００４５】
好適な実施例では、第１の溝部４００及び第２の溝部４０５の長手軸に対して垂直な方向の受容部６７の断面形状は、図８に示すようにＴ字形である。しかしながら、本発明に係るベールリンク６０は、このような断面形状に必ずしも限定されないことが理解されたい。
【００４６】
図１３及び１４は、互いに連結されさらにベールリンクに連結された１群のリンクの上部及び下部を示す。図１５は、隣接壁１１０に隣接するリンク１０の連結部材４０の係止ヘッド４６、及び第２のリンク１０の第１の溝部１００の部分的に閉じた端部１０３の対向する間隔を空けた２つの側壁１０２を示す、図１３のライン１５−１５に沿って切断した断面図を示す。リンク１０の係止ヘッド４６を第２のリンク１０の受容部２７に受容させると、係止ヘッド４６が、側壁１０６間及び隣接壁１１０の間の隙間の距離よりも広いため、第１のリンク１０の係止ヘッド４６が、隣接壁１１０、側壁１０２、フレーム２４の下面、及び肩部３０によって移動が阻止される。しかしながら、第１の溝部１００が係止ヘッド４６よりも広いため、第１の溝部１００の長手軸に沿って係止ヘッド４６を移動できるが、隣接壁１１０が、第１の溝部１００に沿った係止ヘッド４６のさらなる移動を阻止するよう機能することに留意されたい。
【００４７】
図１６Ａ乃至１６Ｃは、本発明の態様に係る２つのリンク１０を連結するための方法を示す。２つのリンク１０は、第２のリンク１０ｂの第１の溝部１００の開口端１０１に第１のリンク１０ａの連結部材４０の係止ヘッド４６を挿入し、第１の位置２００から第２の位置３００に、受容する第１の溝部の長手軸に対して横方向の係止ヘッド４６を通る軸を中心として第１のリンク１０ａを回転させることによって、互いに連結される。第１の位置２００では、各２つのリンク１０ａ及び１０ｂのフレーム２２が反対方向に向くように、２つのリンク１０ａ及び１０ｂが互いに並ぶ。第２の位置３００では、各２つのリンク１０ａ及び１０ｂのフレーム２２がいずれも同じ方向に向くように、２つのリンク１０ａ及び１０ｂが互いに並ぶ。第１のリンク１０ａが第１の位置２００から第２の位置３００に第２のリンク１０ｂに対して移動すると、第１のリンク１０ａの延長アーム４４が第２のリンク１０ｂの受容部２７の第２の溝部１０５を通過する。
【００４８】
したがって、第２のリンク１０ｂの受容部２７の第１の溝部１００の開口端１０１に第１のリンク１０ａの連結部材４０の係止ヘッド４６を挿入することによって、２つのリンク１０が互いに連結する。そして、第１のリンク１０ａが、第２のリンク１０ｂの第１の溝部１００の開口端１０１から、第２のリンク１０ｂの受容部２７の第１の溝部１００の部分的に閉じた端部１０３に回転する。第１のリンク１０ａの係止ヘッド４６が第２のリンク１０ｂの受容部２７の部分的に閉じた端部１０３に係合すると、第１のリンク１０ａの係止ヘッド４６の移動が、第２のリンク１０ｂの受容部２７の３つの壁部、すなわち、第２のリンク１０ｂの第１の溝部１００の部分的に閉じた端部１０３の隣接壁１１０、及び対向する２つの側壁１０２に隣接することによって規制される。
【００４９】
任意の数のリンク１０を、上述したのと同じような方法で取り付けてもよい。また、２つのリンク１０を離す唯一の方法は、図１６Ａ乃至１６Ｃ示すのとは逆の方法を実行することであり、すなわち、位置３００から位置２００に第１のリンク１０ａを回転させることである。
【００５０】
図１６Ａ乃至１６Ｃ示す手順を繰り返して、所望に応じて１群のリンクにリンク１０を加えることができ、又は、所望に応じて逆の手順を用いて１群のリンクからリンク１０を取り外しすことができる。
【００５１】
本発明の態様によれば、ベールリンク６０又はポストリンク９２を連結して１群のリンクに終端リンク１０を連結することができ、それが分解するのを防止する。
【００５２】
図１７Ａ乃至１７Ｃは、ベールリンク６０に１群のリンク１０を連結する方法を示す。図１７Ｄ乃至１７Ｅは、ベールリンクに連結されたリンクをベールリンクを外すまで互いに外すことができない理由を示す。リンク１０は、ベールリンク６０の第１の溝部４００の開口端４０１にリンク１０の連結部材４０の係止ヘッド４６を挿入することによって、ベールリンク６０を取り付け、係止ヘッド４６をベールリンク６０の凹部４８に確実に接触させ、その後で、第１の位置２００から第２の位置３００にベールリンク６０を回転させる。第１の位置２００では、リンク１０及びベールリンク６０が、リンク１０のフレーム２２及びベールリンクの上部６２が逆方向に向くように、互いに整列する。第２の位置３００では、リンク１０及びベールリンク６０が、リンク１０のフレーム２２及びベールリンク６０の上部がいずれも同じ方向に向くように、互いに整列する。ベールリンク６０が第１の位置２００から第２の位置３００にリンク１０に対して移動すると、リンク１０の延長アーム４４がベールリンク６０の受容部６７の第２の溝部４０５を通過する。
【００５３】
したがって、ベールリンク６０の受容部６７の第１の溝部４００の開口端４０１にリンク１０の連結部材４０の係止ヘッド４６を挿入することによって、リンク１０及びベールリンク６０が互いに連結する。そして、ベールリンク６０が、リンク１０の係止ヘッド４６がベールリンク６０の第１の溝部４００の開口端４０１から、ベールリンク６０の受容部６７の第１の溝部４００の部分的に閉じた端部４０３に移動するように、回転する。リンク１０の係止ヘッド４６がベールリンク６０の受容部６７の部分的に閉じた端部４０３に係合すると、リンク１０の係止ヘッド４６の移動が、ベールリンク６０の受容部６７の３つの壁部、すなわち、ベールリンク６０の第１の溝部４００の部分的に閉じた端部４０３の隣接壁４１０、及び対向する２つの間隔を空けた側壁４０２に隣接することによって規制される。
【００５４】
図１８及び図１９は、ペンダントのベールリンクを通って挿入されたチェーンを示す。ベールリンク６０がいずれも１又はそれ以上のリンク１０に取り付けられると、ペンダント９０が形成される。そして、チェーンがペンダント９０のベールリンク６０を通して挿入されると、ベールリンク６０の受容部６７の第１の溝部４００の開口端１０１がチェーンによってブロックされることによって、ベールリンク６０に取り付けられたリンク１０を互いに外すことができない。ベールリンク６０の第１の溝部４００がチェーンによってブロックされるため、ベールリンク６０に取り付けたリンク１０の連結部材４０の係止ヘッド４６は、ベールリンク６０の脚部６６の背面６８に形成される受容部６７の外に滑り出ることができない。ベールリンク６０に取り付けたリンク１０を外すことができないため、各リンク１０の連結部材４０の係止ヘッド４６がそれが存在する受容部から逃げることができず、ベールリンク６０に取り付けたリンク１０にさらに結合されたリンク１０を、互いに外すことができない。
【００５５】
図２０は、リンク１０の第２の実施例の平面図を示しており、フレームの大まかな形状が円形／楕円形ではなくてダイヤモンド状である点を除いて、図１乃至５に示すリンク１０と同じ態様を有する。
【００５６】
図２１及び２２は、ポストリンク９２の第１の実施例を示す。ポストリンク９２は、宝飾品取り付け部／カップ状のクレードル５０３を規定するフレーム５０２を有しても有しなくてもよい上部５００と、上部５００から延びる３つの脚部である第１の脚部５１１、第２の脚部５１２、第３の脚部５１３を有する底部５１０を具えている。宝飾品／宝石を保持するための複数の突起部５０５が、フレーム５０２から上方に延びている。３つの脚部５１１／５１２／５１３は、リンク１０の連結部材４０を受容するための受容部５１５を形成する。各脚部５１１／５１２／５１３は、ポストリンク９２の上部５００から延びる脚部５１１／５１２／５１３に対して相対的に垂直な足部５２０を有している。第１の脚部５１１は、ポストリンク９２の上部５００の正面５２２から延びており、その足部５２０から延びるポスト９４を有している。第２の脚部５１２及び第３の脚部５１３は、互いに平行に延びており、ポストリンク９２の上部５００の背面５２４から延びている。第２の脚部５１２及び第３の脚部５１３間に空間５２６が存在する。第１の脚部５１１の足部５２０及び第２の脚部５１２及び第３の脚部５１３の足部５２０は互いに面しているが、互いに接しておらず、ポストリンク９２の下面５２５に、リンク１０の連結部材４０を受容するための受容部５１５の上部５１６である開口部５４０を形成する。第２の脚部５１２及び第３の脚部５１３の間に形成される空間５２６は、受容部５１５の下部５２６であり、互いに垂直に延びる２つの等間隔の溝部を有する。受容部５１５の上部５４０及び下部５２６間の差が、比較的Ｔ字形の空間を形成する。さらに、肩部５１７が、第１の脚部５１１、第２の脚部５１２及び第３の脚部５１３の足部５２０の端部間に形成される。第１の脚部５１１の足部５２０は、受容部５１５に向けて足部５２０から内側に比較的垂直に延びるさらなる足部５２１を有する。さらなる足部５２１は、受容部５１５の下部５２６に向けてリンク１０の連結部材４０を案内するよう補助する。
【００５７】
図２３Ａ乃至２３Ｃは、本発明に係るポストリンクに１群のリンクを連結するための手順を示す。ポストリンク９２の受容部５１５の肩部５１７の中にリンク１０の連結部材４０の係止ヘッド４６を挿入し、第１の位置２００から第２の位置３００にリンク１０を回転させることによって、１群のリンク１０のうちの任意の数のリンク１０を、ポストリンク９２に加え、又はそれから外し得る。第１の位置２００では、リンク１０の連結部材４０の係止ヘッド４６が、ポストリンク９２の受容部５１５の肩部５１７の中に挿入される。このような配置では、ポスト９４を取り付けたリンク１０の受容部２７の中で平らにし得る。リンク１０の連結部材４０の係止ヘッド４６をポストリンク９２の受容部５１５の肩部５１７の中に挿入すると、リンク１０が下方に直角に（第２の位置３００）回転することで、ポストリンク９２の上部５００／フレーム５０２及び取り付けたリンク１０のフレーム２２が、同じ方向に向く。ポストリンク９２にリンク１０を取り付けるための手順の逆を行うことによって、取り付けたリンク１０をポストリンク９２から離すことができる。
【００５８】
ここで記載した実施例は単なる具体例であり、本発明の精神及び範囲から逸脱することなしに、当業者は多くのバリエーション及び修正を行ってもよいことに留意されたい。これら全ての修正及びバリエーションは、ここで規定されるような本発明の範囲内に含まれることを意図するものである。
【図１Ａ】
2011501978.tif 000003
【図１Ｂ】
2011501978.tif 000004
【図２】
2011501978.tif 000005
【図３】
2011501978.tif 000006
【図４Ａ】
2011501978.tif 000007
【図５】
2011501978.tif 000008
【図６】
2011501978.tif 000009
【図７】
2011501978.tif 000010
【図８】
2011501978.tif 000011
【図９】
2011501978.tif 000012
【図９Ａ】
2011501978.tif 000013
【図１０】
2011501978.tif 000014
【図１１】
2011501978.tif 000015
【図１２】
2011501978.tif 000016
【図１３】
2011501978.tif 000017
【図１４】
2011501978.tif 000018
【図１５】
2011501978.tif 000019
【図１６Ａ】
2011501978.tif 000020
【図１６Ｂ】
2011501978.tif 000021
【図１６Ｃ】
2011501978.tif 000022
【図１７Ａ】
2011501978.tif 000023
【図１７Ｂ】
2011501978.tif 000024
【図１７Ｃ】
2011501978.tif 000025
【図１７Ｄ】
2011501978.tif 000026
【図１７Ｅ】
2011501978.tif 000027
【図１８】
2011501978.tif 000028
【図１９】
2011501978.tif 000029
【図２０】
2011501978.tif 000030
【図２１】
2011501978.tif 000031
【図２２】
2011501978.tif 000032
【図２３Ａ】
2011501978.tif 000033
【図２３Ｂ】
2011501978.tif 000034
【図２３Ｃ】
2011501978.tif 000035
【国際調査報告】
2011501978.tif 000036
2011501978.tif 000037